(57)【要約】【課題】部品点数が少なく、かつ、組み付けおよび取り外しを容易にする。【解決手段】インパネは上部パネル１０と下部パネル２０とに分割形成されている。下部パネル２０には、ディスプレイ３０およびメータ４０が組み付けられる凹部２１および２５が形成され、この凹部２１、２５には、それぞれ一対のガイド部材２２、２６と待ち受けコネクタ２３、２７が設けられている。ディスプレイ３０およびメータ４０は、上部および下部パネルにより上下より挟まれるように組み付けられる。このとき、ディスプレイおよびメータのそれぞれ左右両端に設けたリブ３２、４２と下部パネルに設けたガイド部材２２、２６とを係合させ、かつ各機器の下部に設けたコネクタ３１、４１を待ち受けコネクタ２３、２７に接続させて組み付けを完了する。これにより、意匠面を隠すベゼルや固定用スクリューが不要となり、組み付け分解も容易である。【選択図】        図２
2004189131.tif 000002
【特許請求の範囲】
【請求項１】
少なくとも上部パネル（１０、１００）と下部パネル（２０、２００）とに２分割されたインストルメントパネルと、インパネ搭載機器（３０、４０、３００、４００）とを備え、
前記インパネ搭載機器は前記下部パネルおよび上部パネルによって下方および上方より挟まれるように組み付けられるとともに、
組み付け時、前記下部パネルに上方に向いて設けられた待ち受けコネクタ（２３、２７、２２０、２３０）と、前記インパネ搭載機器の下部に設けられたコネクタ（３１、４１、３１０、４１０）とが接続されることを特徴とするコクピットモジュールの組付体。
【請求項２】
前記下部パネルにはガイド部材（２２、２６）が設けられ、組み付け時、前記インパネ搭載機器の左右両端部に設けられたリブ（３２、４２）が前記ガイド部材に前記下部パネルの上方より嵌合状態で移動して前記インパネ搭載機器が前記下部パネルに係合することにより、前記インパネ搭載機器の前記下部パネルに対する位置決めがなされることを特徴とする請求項１に記載のコクピットモジュールの組付体。
【請求項３】
前記上部パネルにはガイド部材（１１０、１２０）が設けられ、組み付け時、前記インパネ搭載機器の左右両端部に設けられたリブ（３２０、４２０）が前記ガイド部材に前記上部パネルの下方より嵌合状態で移動して前記インパネ搭載機器が前記上部パネルに係合することにより、前記インパネ搭載機器の前記上部パネルに対する位置決めがなされることを特徴とする請求項１に記載のコクピットモジュールの組付体。
【請求項４】
前記インパネ搭載機器に設けられた前記コネクタと前記下部パネルに設けられた前記待ち受けコネクタとの結合方向は、前記リブの前記ガイド部材に対する移動方向と略一致することを特徴とする請求項２または３に記載のコクピットモジュールの組付体。
【請求項５】
前記インパネ搭載機器はメータ（４０、４００）であり、該メータの筐体の前後厚さが、該メータの下部または上部を最短部（４４、４４０）および該メータの他方の上部または下部を最長部（４５、４５０）とするとき、該最短部から最長部へと単調に増加するよう形成し、
前記インストルメントパネルのメータ組み付け部の前記メータの筐体の前後方向の断面形状が前記メータの筐体の断面形状に等しくなるよう形成するとともに、
前記メータの組み付け時、前記最短部を先端、前記最長部を後端として前記メータ組み付け部へ移動させるようにしたことを特徴とする請求項１ないし４のいずれか１つに記載のコクピットモジュールの組付体。
【発明の詳細な説明】
【０００１】
【発明の属する技術分野】
本発明は、車両用のコクピットモジュールの組付体に関する。
【０００２】
【従来の技術】
従来より、車両用のコクピットには、図１に示すように、車速などを表示するメータ３やナビゲーション装置のディスプレイ２などのインパネ搭載機器が搭載されているが、そのインパネ１への組み付け方法は、車両後方より前方に向って、スクリュー６にてインパネ１に固定されていた。これにより、インパネ搭載機器のメンテナンス時には、容易に取り外すことができた。
【０００３】
しかし、このような組み付け方法では、意匠性を考慮して組み付け用の締結部品（スクリュー等）を乗員から見えないようにするために、それらを隠すベゼル（意匠カバー）４、５が必要となり、部品点数が増大してしまうという問題があった。
【０００４】
【発明が解決しようとする課題】
本発明は、上記点に鑑み、部品点数が少なくかつ組み付けおよび取り外しを容易にできるコクピットモジュールの組付体を提供することを目的とする。
【０００５】
【課題を解決するための手段】
上記目的を達成するため、請求項１に記載の発明は、少なくとも上部パネル（１０、１００）と下部パネル（２０、２００）とに２分割されたインストルメントパネルと、インパネ搭載機器（３０、４０、３００、４００）とを備え、前記インパネ搭載機器は前記下部パネルおよび上部パネルによって下方および上方より挟まれるように組み付けられるとともに、組み付け時、前記下部パネルに上方に向いて設けられた待ち受けコネクタ（２３、２７、２２０、２３０）と、前記インパネ搭載機器の下部に設けられたコネクタ（３１、４１、３１０、４１０）とが接続されることを特徴とする。
【０００６】
この発明によれば、インストルメントパネル（インパネ）を２分割とし、インパネ搭載機器をインパネの上部パネルと下部パネルとで挟むようにインパネに組み付けるとともに、同時に下部パネルに配設した待ち受けコネクタとインパネ搭載機器の下部に設けたコネクタとを接続するので、インパネとインパネ搭載機器との組み付けまたは脱着を容易に行うことができ、さらに意匠カバーを不要とし部品点数を少なくすることができる。
【０００７】
なお、請求項２に記載のように、前記下部パネルにはガイド部材（２２、２６）が設けられ、組み付け時、前記インパネ搭載機器の左右両端部に設けられたリブ（３２、４２）が前記ガイド部材に前記下部パネルの上方より嵌合状態で移動して前記インパネ搭載機器が前記下部パネルに係合することにより、前記インパネ搭載機器の下部パネルに対する位置決めをすることができる。
【０００８】
また、請求項３に記載のように、前記上部パネルにはガイド部材（１１０、１２０）が設けられ、組み付け時、前記インパネ搭載機器の左右両端部に設けられたリブ（３２０、４２０）が前記ガイド部材に前記上部パネルの下方より嵌合状態で移動して前記インパネ搭載機器が前記上部パネルに係合することにより、前記インパネ搭載機器の上部パネルに対する位置決めをすることができる。
【０００９】
なお、前記インパネ搭載機器に設けられた前記コネクタと前記下部パネルに設けられた前記待ち受けコネクタとの結合方向は、請求項４に記載のように、前記リブの前記ガイド部材に対する移動方向と略一致するようにすれば、インパネ搭載機器をインパネに組み付けるためにリブをガイド部材に沿わせて移動すれば同時にコネクタ間の接続を行うことができ、組み付け作業を容易にすることができる。
【００１０】
請求項５に記載の発明は、前記インパネ搭載機器はメータ（４０、４００）であり、該メータの筐体の前後厚さが、該メータの下部または上部を最短部（４４、４４０）および該メータの他方の上部または下部を最長部（４５、４５０）とするとき、該最短部から最長部へと単調に増加するよう形成し、前記インストルメントパネルのメータ組み付け部の前記メータの筐体の前後方向の断面形状が前記メータの筐体の断面形状に等しくなるよう形成するとともに、前記メータの組み付け時、前記最短部を先端、前記最長部を後端として前記メータ組み付け部へ移動させるようにしたことを特徴とする。
【００１１】
この発明によれば、インストルメントパネルのメータ組み付け部へ、メータの前後厚さの最短部を先端としてメータ筐体を移動させて組み付けるとともに、メータ組み付け部の断面形状とメータ筐体の断面形状とが等しくなるよう形成されているので、メータのインストルメントパネルへ組み付けが容易に行えるとともに、組み付け後、メータとインストルメントパネルとを正確に合わせることができる。
【００１２】
なお、上記各手段の括弧内の符号は、後述する実施形態に記載の具体的手段との対応関係を示す一例である。
【００１３】
【発明の実施の形態】
以下、本発明の各実施形態を図に基づいて説明する。
（第１実施形態）
図２は、第１実施形態のコクピットモジュールの組付体の斜視図であり、（ａ）は組み付け前の状態、（ｂ）は組み付け後の状態を示している。
【００１４】
第１実施形態のコクピットモジュールの組付体は、インストルメントパネル（以下、インパネ）を構成するそれぞれ分割形成された上部パネル１０および下部パネル２０と、インパネ搭載機器としての地図情報などの表示を行うディスプレイ３０と車速計や燃料計などが一体化されたメータ４０とを備えている。
【００１５】
下部パネル２０には、ディスプレイ３０およびメータ４０がそれぞれ組み付けられるディスプレイ用およびメータ用凹部２１および２５が設けられている。ディスプレイ用およびメータ用凹部２１および２５は、それぞれ下部に待ち受けコネクタ２３および２７が上方に向いて固定配置されている。また、各凹部２１および２５の左右にはそれぞれ一対のガイド部材２２および２６が形成されている。
【００１６】
ディスプレイ３０は、下部には待ち受けコネクタ２３と電気接続を行うコネクタ３１が、また、左右両端にはガイド部材２２と係合する板状のリブ３１がそれぞれ設けられている。
【００１７】
また、メータ４０も、ディスプレイ３０と同様、下部に待ち受けコネクタ２７と電気接続を行うコネクタ４１と、左右両端にガイド部材２６と係合する板状のリブ４２とが設けられている。
【００１８】
図３は、ディスプレイ３０のディスプレイ用凹部２１への組み付け方法を示す概念図であり、（ａ）は組み付け前の状態、（ｂ）は組み付け後の状態、（ｃ）は（ｂ）のＡ−Ａ断面を示している。
【００１９】
ディスプレイ３０の左右両端に設けたリブ３２が下部パネル２０のディスプレイ用凹部２１に設けた一対の断面コ字状のガイド部材２２に嵌合した状態で凹部２１内を下方へ移動させる。また、ディスプレイ用凹部２１にはワイヤハーネス２４に接続された待ち受けコネクタ２３が所定位置に固定配置されており、ディスプレイ３０がガイド部材２２に係合するとともに、ディスプレイ３０下部のコネクタ３１と待ち受けコネクタ２３とが接続される。これにより、ディスプレイ３０の下部パネル２０への組み付けが完了する。
【００２０】
なお、メータ４０も上述と同様に、左右両端に設けたリブ４２をメータ用凹部２５に設けた一対のガイド部材２６に嵌合させた状態で凹部２５の下方へ移動させ、メータ４０下部のコネクタ４１と凹部２５の所定位置に固定配置された待ち受けコネクタ２７とが接続されることにより、メータ４０の下部パネル２０への組み付けが完了する。
【００２１】
ところでメータ４０の筐体は、図２のＢ−Ｂ断面図である図４に示すように、紙面上方を上部とするときこの上部を最長部４５、反対の下部を最短部４４とし、前後方向（紙面左右方向）の厚さが最短部から最長部へと単調に増加するように形成されている。具体的には、メータ４０の表示側の透明樹脂部４３が紙面上、上に凸となる曲面として形成されている。一方、下部パネル２０の凹部２６のガイド部材２６近傍にも、透明樹脂部４３の曲面と一致するよう曲面２８が形成されている。
【００２２】
したがって、メータ４０の下部パネル２０への組み付け時には、メータ４０の最短部４４を先端としてリブ４２が凹部２５のガイド部材２６と嵌合しながら、かつ透明樹脂部４３の曲面と凹部２５の曲面２８とは干渉することなく、凹部２５内を紙面下方へ移動させることができる。そして、メータ４０の凹部２５への組み付け完了時には、透明樹脂部４３の曲面と凹部２５の曲面２８とを一致させて、メータの意匠面を合わせることができる。
【００２３】
以上のように、下部パネル２０へインパネ搭載機器としてのディスプレイ３０およびメータ４０を組み付けた（図２（ａ）中、▲１▼）後、図２（ａ）において紙面上方から上部パネル１０と下部パネル２０とをディスプレイ３０およびメータ４０を挟むように係合させて（図２（ａ）中、▲２▼）、インパネへのインパネ搭載機器の組み付けを完了する。これにより、コクピットモジュールの組付体が完成する。
【００２４】
上述したように、本第１実施形態のコクピットモジュールの組付体は、インパネを上部パネル１０および下部パネル２０に２分割形成し、下部パネル２０には、ディスプレイ３０およびメータ４０を組み付ける凹部２１および２５を設けるとともに、この凹部２１、２５にガイド部材２２、２６と待ち受けコネクタ２３、２７とを設けておくことにより、ディスプレイ３０およびメータ４０を上部パネル１０および下部パネル２０により上下方向で挟み込むように組み付けることができるとともに、ディスプレイ３０およびメータ４０の下部に設けたコネクタ３１および４１と待ち受けコネクタ２３および２７とをそれぞれ接続することができる。
【００２５】
したがって、ベゼルやスクリューなどが不要となり部品点数が少なく、かつ、組み付けおよび分解が容易なコクピットモジュールの組付体を得ることができる。
（第２実施形態）
次に第２実施形態について説明する。上記第１実施形態では、インパネ搭載機器を下部パネル２０に組み付けた後、上部パネル１０を下部パネル２０に取り付けるようにしたが、本第２実施形態では、インパネ搭載機器を上部パネル１００に組み付けたのち、下部パネル２００と上部パネル１００とを組み付けるものである。
【００２６】
図５は、第２実施形態のコクピットモジュールの組付体の斜視図であり、（ａ）は組み付け前の状態、（ｂ）は組み付け後の状態を示している。
【００２７】
第２実施形態のコクピットモジュールの組付体は、インパネを構成するそれぞれ分割形成された上部パネル１００および下部パネル２００と、下部パネル２００に予め組み付けられる強度部材２１０と、インパネ搭載機器としてのディスプレイ３００とメータ４００とを備えている。
【００２８】
ディスプレイ３００およびメータ４００は、それぞれ上記第１実施形態と同様の形態として、下部にはコネクタ３１０および４１０が、また、左右両端には一対のリブ３２０および４２０が設けられている。
【００２９】
上部パネル１００には、ディスプレイ用の一対のガイド部材１１０およびメータ用の一対のガイド部材１２０が、上記第１実施形態のガイド部材２２と同様の形状として形成されている。
【００３０】
強度部材２１０には、インパネメインハーネス２４０に接続されたディスプレイ用およびメータ用の待ち受けコネクタ２２０および２３０が上方に向いて所定位置に固定設置されている。この強度部材２１０は予め下部パネル２００に組み付けられており、したがって、下部パネル２００の所定位置に待ち受けコネクタ２２０および２３０を配設することができる。
【００３１】
インパネへのインパネ搭載機器の組み付けは、まず、ディスプレイ３００およびメータ４００の上部パネル１００へ組み付け（図５（ａ）中、▲１▼）より行う。このとき、ディスプレイ３００の一対のリブ３１０を上部パネル１００に設けたガイド部材１１０に嵌合させた状態で、ディスプレイ３００を紙面上上方へ移動して組み付ける。また、メータ４００も、同様に、メータ４００のリブ４２０を上部パネル１００に設けたガイド部材１２０に嵌合させて上方へ移動することにより、上部パネル１００への組み付けを行う。
【００３２】
なお、本第２実施形態のメータ４００は、第１実施形態とは逆に、上部を最短部４４０、下部を最長部４５０として、透明樹脂部４３０が下に凸となるよう曲面形成されている。また上部パネル１００のメータ組み付け部はこのメータ４００の曲面と一致するよう曲面（図示せず）が形成されている。したがって、組み付け時には、メータ４００の最短部４４０を先端として上方へ移動することにより、第１実施形態と同様、メータ４００の筐体と上部パネル１００とは干渉することなく、メータの意匠面を合わせて組み付けることができる。
【００３３】
このようにインパネ搭載機器が組み付けられた上部パネル１００を、下部パネル２００に向けて下方へ移動して、ディスプレイ３００およびメータ４００の各下部に設けたコネクタ３１０および４１０と、下部パネル２００の所定位置に固定された待ち受けコネクタ２２０および２３０とをそれぞれ接続させる。
【００３４】
これによりインパネ搭載機器３００、４００を上部パネル１００および下部パネル２００により挟むようにしてインパネに組み付けることができる。
【００３５】
このように、本第２実施形態においても、第１実施形態と同様、ベゼルやスクリューなどが不要となり部品点数が少なく、かつ、組み付けおよび分解が容易なコクピットモジュールの組付体を得ることができる。
【図面の簡単な説明】
【図１】従来のインパネへのインパネ搭載機器の組み付け方法を示す斜視図である。
【図２】第１実施形態のコクピットモジュールの組付体の斜視図であり、（ａ）は組み付け前の状態、（ｂ）は組み付け後の状態を示している。
【図３】ディスプレイのガイド部材および待ち受けコネクタへの組み付け方法を示す図であり、（ａ）は組み付け前の状態、（ｂ）は組み付け後の状態、（ｃ）はＡ−Ａ断面をそれぞれ表している。
【図４】メータの下部パネルへの組み付け方法を表すＢ−Ｂ断面図である。
【図５】第２実施形態のコクピットモジュールの組付体の斜視図であり、（ａ）は組み付け前の状態、（ｂ）は組み付け後の状態を示している。
【符号の説明】
１０、１００…上部パネル、２０、２００…下部パネル、
３０、３００…ディスプレイ、４０、４００…メータ、
３１、４１、３１０、４１０…コネクタ、
３２、４２、３２０、４２０…リブ、
２２、２６、１１０、１２０…ガイド部材、
２３、２７、２２０、２３０…待ち受けコネクタ。
【図１】
2004189131.tif 000003
【図２】
2004189131.tif 000004
【図３】
2004189131.tif 000005
【図４】
2004189131.tif 000006
【図５】
2004189131.tif 000007